(57)【要約】【課題】骨盤部分を安定的に支持することによって骨盤の歪みを矯正するとともに、腰部分を支えて補助することのできる形状及び構造とする。【解決手段】腰部に巻き付けて装着する全体が横長の帯状に形成されたコルセット本体２と、このコルセット本体２の左右両側部２ｂ，２ｂに設けられた互いに係止するフックアイ３ａ及び止め金３ｂとからなり、コルセット本体２が腰部に装着された状態において、コルセット本体２の下縁部５が、腹部側が少なくとも足の付け根部分よりも上部に位置し、臀部側が臀部のトップラインよりも下方に位置するように設けられている。また、コルセット本体２には、上縁部４から下縁部５まで達する縦方向に配置されたボーン６が、所定の間隔を存して胴回りに複数本設けられている。【選択図】  図１
2004181057.tif 000002
【特許請求の範囲】
【請求項１】
腰部に巻き付けて装着する全体が横長の帯状に形成されたコルセット本体と、このコルセット本体の左右両側部に設けられた互いに係止する係止手段とからなり、コルセット本体が腰部に装着された状態において、コルセット本体の下縁部が、腹部側が少なくとも足の付け根部分よりも上部に位置し、臀部側が臀部のトップラインよりも下方に位置するように設けられていることを特徴とするコルセット。
【請求項２】
前記コルセット本体には、上縁部から下縁部まで達する縦方向に配置されたボーンが、所定の間隔を存して胴回りに複数本設けられていることを特徴とする請求項１に記載のコルセット。
【請求項３】
前記ボーンは、少なくとも骨盤を挟んで前後に配置されていることを特徴とする請求項２に記載のコルセット。
【請求項４】
前記ボーンは、腹部側よりも背中側に多く配置されていることを特徴とする請求項３に記載のコルセット。
【発明の詳細な説明】
【０００１】
【発明の属する技術分野】
本発明は、骨盤の歪みを矯正するコルセットに関する。
【０００２】
【従来の技術】
下着としてのコルセットは、従来より種々提案されているが、これらのコルセットは、ウエスト部分（主に腹部）を締め付けてウエストラインを美しく見せるためのものであり、骨盤の歪みを矯正するものではない。そのため、従来のコルセット３１は、図３に示すように、背中側よりも腹部側の方が下方に延びて長く設けられており、骨盤部分４１はむしろ避けるような形状となっている。
【０００３】
一方、骨盤の矯正用として作製されたコルセットも種々提案されている。
【０００４】
例えば、伸縮性素材で構成された主コルセットベルトと、これとは別に分離された形状の伸縮性素材で構成された副コルセットベルトとの２本の独立した形状のベルトの組み合わせからなり、主コルセットベルトは、腰部、脚部、肩部等の人体の一部に巻回加圧した状態で両端部を結合自在とされ、副コルセットベルトは、主コルセットベルト近傍の人体の一部に巻回加圧した状態で両端部を主コルセットベルトに結合自在とされたコルセットベルトが提案されている（例えば、特許文献１参照）。
【０００５】
【特許文献１】
特開平９−２５３１０７号公報
【０００６】
【発明が解決しようとする課題】
しかしながら、上記従来技術のコルセットベルトは、主コルセットベルトを人体の一部に巻回加圧して装着した後、副コルセットベルトを人体の一部に巻回加圧して装着するため、両コルセットベルトをバランス良く装着することが難しいといった問題があった。また、従来のコルセットベルトは、全体の伸縮性を利用して骨盤を含むウエスト部分を締め付けるだけのものであるため、体を前後左右に倒したときの腰部の安定性が悪いといった問題もあった。
【０００７】
本発明はかかる問題点を解決すべく創案されたもので、その目的は、骨盤部分を安定的に支持することによって骨盤の歪みを矯正するとともに、腰部分を支えて補助することのできる形状及び構造のコルセットを提供することにある。
【０００８】
【課題を解決するための手段】
本発明のコルセットは、腰部に巻き付けて装着する全体が横長の帯状に形成されたコルセット本体と、このコルセット本体の左右両側部に設けられた互いに係止する係止手段とからなり、コルセット本体が腰部に装着された状態において、コルセット本体の下縁部が、腹部側が少なくとも足の付け根部分よりも上部に位置し、臀部側が臀部のトップラインよりも下方に位置するように設けられていることを特徴としている。
【０００９】
このように、コルセット本体の下縁部を、腹部側が少なくとも足の付け根部分よりも上部に位置するように設けることで、歩いたり座ったりした場合でも、太股の部分がコルセットに当たることがなく、また、コルセットがずれ上がるといった心配もない。一方、臀部側は臀部のトップラインよりも下方に位置するように（すなわち、ヒップ全体を包み込むように）設けることで、コルセットがずれ上がることを防止することができる。また、コルセット本体の下縁部が、腹部側から臀部側にかけて下がっているので、骨盤部分の全体を安定的に支持することができる。
【００１０】
また、このような構成のコルセット本体には、上縁部から下縁部まで達する縦方向に配置されたボーンが、所定の間隔を存して胴回りに複数本設けられている。このように、コルセット本体の上縁部から下縁部まで達する縦長のボーンを設けることで、腰部分が支持されるため、骨盤のずれを矯正するのみならず、腰を支えて補助する効果も期待できる。
【００１１】
そのため、本発明では、このようなボーンを、少なくとも骨盤を挟んで前後に設けている。また、腰を支えて補助する効果をさらに得るために、本発明では、このようなボーンを、腹部側よりも背中側に多く設けている。具体的には、骨盤を挟んで前後に１本ずつと、背骨を挟んで左右対象位置に１本ずつ設けている。
【００１２】
【発明の実施の形態】
以下、本発明の実施の形態について、図面を参照して説明する。
【００１３】
図１は、本発明のコルセットの平面図である。
【００１４】
このコルセット１は、伸縮性を有する布地によって全体が横長の帯状に形成されたコルセット本体２と、コルセット本体２の左右両側縁部に設けられた互いに係止する係止具３とで構成されている。係止具３は、本実施形態ではフックアイ３ａと止め金３ｂとからなっているが、これに限定されるものではなく、例えば面ファスナー等であってもよい。
【００１５】
また、本実施形態では、コルセット本体２の中央部２ａが腹部にあてがう部分となっている。すなわち、係止具３は、背中の中央部で止める構造となっている。ただし、コルセット１を止める構造については、このような背中側で係止する構造ではなく、腹部側の中央部で係止する構造とすることができる。
【００１６】
このような構造のコルセット本体２の上縁部４は、体のウエスト部分に巻き付けられ、下縁部５は、下腹部から骨盤の下を通ってヒップ部の下側に巻き付けられる。すなわち、本実施形態では、コルセット本体２は、腹部にあてがわれる中央部２ａの縦幅に比べ、ヒップ部にあてがわれる左右両側部２ｂ，２ｂの縦幅が広くなっている。
【００１７】
従って、このような形状のコルセット本体２を体に装着した場合には、図２に示すように、コルセット本体２の下縁部５は、腹部２１側が少なくとも足の付け根部分２２よりも上部に位置し、ヒップ側がヒップ部２３のトップライン（頂部）Ｌ１よりも下方に位置するように（すなわち、ヒップ部２３のほぼ全体を包むように）装着される。これにより、左右の骨盤部分２４全体が安定的に支持されることになる。
【００１８】
また、コルセット本体２の下縁部５は、腹部２１側が少なくとも足の付け根部分２２よりも上部に位置するように設けられているので、歩いたり座ったりした場合でも、太股の部分がコルセット１に当たることがなく、また、コルセット１がずれ上がるといった心配がない。一方、コルセット本体２の下縁部５は、ヒップ部２３側が下方に下がってヒップ部２３全体を包み込むように設けられているので、コルセット１のヒップ部側もずれ上がる心配がない。
【００１９】
また、このような形状のコルセット本体２には、上縁部４から下縁部５まで達する縦長のボーン６が、所定の間隔を存して胴回りに複数本設けられている。このように、コルセット本体２の上縁部４から下縁部５まで達する縦長のボーン６を設けることで、腰部分が支持されるため、骨盤のずれを矯正するのみならず、腰を支えて補助する効果も期待できる。すなわち、ボーン６が添え木的な役目を果たしている。
【００２０】
そのため、本実施形態では、このようなボーン６を、少なくとも骨盤部分２４を挟んで前後に設けている。このように、ボーン６を骨盤部分２４を挟んで前後に設けることで、体を前後に曲げた場合のみならず、左右に傾けた場合でも、ボーン６によって腰部分が安定的に支持されることになる。
【００２１】
この場合、コルセット本体２の形状が、上記したように、腹部側からヒップ部側にかけて下縁部５が下がるように（すなわち、腹部の縦幅に比べて、骨盤部分２４の縦幅が広くなるように）設けられているので、この部分に設けられるボーン６の長さも、その分長くすることができる。これにより、骨盤部分２４を縦方向の長い範囲に渡って支持することができるため、より安定して腰部分を支持することができる。
【００２２】
また、腰を支えて補助する効果をさらに得るために、本実施形態では、このようなボーン６を、腹部側よりも背中側に多く設けている。具体的には、左右それぞれの骨盤部分２４を挟んで前後に１本ずつと、背骨を挟んで左右対象位置に１本ずつの計６本設けている。ただし、ボーン６の本数については、６本に限定されるものではなく、必要に応じてさらに本数を増やすことが可能である。
【００２３】
【発明の効果】
本発明によれば、コルセット本体の下縁部を、腹部側が少なくとも足の付け根部分よりも上部に位置し、臀部側が臀部のトップ部よりも下方に位置するように設けた構成としたので、左右の骨盤部分全体を安定的に支持することができ、骨盤のずれを矯正することができる。また、コルセット本体の下縁部は、腹部側が少なくとも足の付け根部分よりも上部に位置するように設けられているので、歩いたり座ったりした場合でも、太股の部分がコルセットに当たることがなく、また、コルセットがずれ上がるといった心配もない。一方、臀部側は臀部のトップラインよりも下方に位置するように設けられているので、ヒップ部側のコルセットもずれ上がる心配がない。
【００２４】
また、本発明によれば、コルセット本体の上縁部から下縁部まで達する縦長のボーンを、所定の間隔を存して胴回りに複数本設けた構成としたので、腰部分がボーンによって支持されるため、骨盤のずれを矯正するのみならず、腰を支えて補助する効果も期待できる。また、このようなボーンを少なくとも骨盤を挟んで前後に設けることにより、体を前後に曲げた場合のみならず、左右に傾けた場合でも、ボーンによって腰部分を安定的に支持することができる。さらに、このようなボーンを、腹部側よりも背中側に多く設けることで、腰を支えて補助する効果をより向上させることができる。
【図面の簡単な説明】
【図１】本発明のコルセットの平面図である。
【図２】本発明のコルセットを体に装着した状態を示す側面図である。
【図３】従来のコルセットを体に装着した状態を示す側面図である。
【符号の説明】
１  コルセット
２  コルセット本体
２ａ  中央部
２ｂ  側部
３  係止具
３ａ  フック
３ｂ  止め金具
４  上縁部
５  下縁部
２１  腹部
２２  付け根部分
２３  ヒップ部
２４  骨盤部分
Ｌ１  トップライン
【図１】
2004181057.tif 000003
【図２】
2004181057.tif 000004
【図３】
2004181057.tif 000005